(57)【要約】      （修正有）【課題】低コストで作製でき、黄色変化や、不快な臭気と味等の劣化をなくし、美味しい炊きたてご飯にするのを特徴とす保湿容器を提供する。【解決手段】保湿容器は、従来の炊飯器内部の保温状態に加え、取り付け取外し容易な網ザル形と小物入れを有し、その間に水で濡らした紙を網ザル形に被せる。炊飯器の加熱により蒸発し、内幕のご飯部と外幕の蓋内部と二層の蒸気対流ができ、ご飯部のご飯粒を保温、保湿する。小物入れは防臭用に炭等を入れる、又取っ手は一取っ手三種類用で、取っ手用にも、つり下げ用にも、鋏み用つり下げにもなる。鋏み用つり下げは、ご飯を注ぐ時、保湿容器のつり下げた水滴は炊飯器外に出ず、外部からの汚れ付着をなくする。【選択図】  図１
2005261892.tif 000002
【特許請求の範囲】
【請求項１】
炊飯器用保湿容器は、網ザル形で上棚に置き台を設け、多穴の小物入れを置く、網ザル形とその多穴の小物入れ間に水蒸気発生用の濡れ天然パルプ紙、を挟み、網ザル形に被せ、多穴の小物入れ内に防臭及びマイナスイオン発生用に炭を入れてご飯が黄色変化や、不快な臭気と味等の劣化をなくし、容易に美味しい炊きたてご飯にするのを特徴とす炊飯器用保湿容器。
【請求項２】
保湿容器の取り付け、取外しを容易にするために網ザル形下棚には一取っ手三種類用で、取っ手用にも、つり下げ用にも、つり下げ挟み用にもなり、保湿容器は炊飯器釜蓋を開けた上部につり下げ挟みすることで水滴は炊飯器外に出ず、外部からの汚れ付着がなく、炊飯器釜内に水滴を処理することを特徴とする請求項１記載の炊飯器用保湿容器。
【発明の詳細な説明】
【技術分野】
【０００１】  本発明は、炊飯器のご飯の保温、保湿、加湿、不快臭気及び容器等に関するものである。
【背景の技術】
【０００２】  電気、ガスなどの炊飯器の保温は温度ヒーターで温度と炊飯器外部への熱放出穴のみで維持し、加熱により水蒸気が外部え蒸発し、ご飯の柔らかさがしだいに硬くなり、加熱状態内で細菌が繁殖してご飯が黄色変化し、さらに不快な臭気と味等の劣化する欠点があった。
【発明の開示】
【発明が解決しようとする課題】
【０００３】  本発明は上記の保温のみによるご飯の硬さ、また加熱状態内で細菌が繁殖し、ご飯が黄色変化する欠点をなくし、炊きたてほかほかご飯の維持、しかも既存のものを利用し、改造せず、取外し容易な手段で容器の加湿兼保湿機能を低コストで提供する。【０００４】特開平１５年−２１９９７０号広報には釜内に加湿タンクをセットする法であるが、保温中の釜内部は水タンクの口が小さく蒸気放出面積では充分な発蒸が出来ない、又不快な臭気と味等の劣化する欠点があり、そのままの保温には不向きである。
特開平５年−１５４０４０号広報には容器に収めた吸収体に熱湯を含ませて蓄熱する巻寿司方法であるが、前記同じく、不快な臭気と味等の劣化する欠点があり、炊飯器のそのままの保温には不向きである。【０００５】特開平１０年−８０３６６号広報には脱臭用に炭の顆粒状小パックは多量必要とし、保温状態では湿度不足の欠点がある。
又、実用新案登録第３０６７９５０号の炭の収納器であるが現在、炊飯器のほとんどの蓋には改造が必要であり、湿度不足の欠点がある。
【課題を解決するための手段】
【０００６】  本発明には、このような背景化において、既存の炊飯器を改造するような手段を講ずることなしに、内釜に保湿容器を取付け取外しの容易な手段で、しかも低コストで作成でき、かつ炊飯器内に保湿容器のつり下げなど他の機能を付加するものである。【０００７】  炊飯器釜内に炊き上がったご飯に取り付け取外し容易な本発明の保湿容器を乗せる。
その保湿容器は網ザル形と上棚に置き台２を設け多穴の小物入れ４を置く、網ザル形とその多穴の小物入れ間に水蒸気発生用に水で濡らした表面積の広い繊維形状の天然パルプ紙５を挟み、網ザル形に被せる。釜の温度ヒーター加熱により水は容易に蒸気発生させる。多穴の小物入れに防臭及びマイナスイオン発生用に炭等を入れることで、黄色変化や、不快な臭気と味等の劣化をなくし、容易に美味しい炊きたてご飯にするのを特徴とす。【０００８】  保湿容器の取り付け、取外しを容易にするために網ザル形下棚には一取っ手三種類用で取っ手用にも、つり下げ用にも、つり下げ挟み用にもなり、保湿容器は炊飯器釜蓋を開けた上部につり下げ挟みすることで水滴は炊飯器外に出ず、外部からの汚れ付着がなく、炊飯器釜内に水滴を処理する機能を付加することを特徴とする保湿容器である。
【発明の効果】
【０００９】  本発明の炊飯器用の保湿容器は，炊き上がったご飯の保温時、既設の炊飯器内に取り付け取外しが容易にできる。
炊飯内はこの加湿容器の網ザル形１と多穴の小物入れ４間に水で濡らした天然パルプ紙、５又はろ紙を挟み、網ザル形に被せる。加熱により蒸発し、内膜のご飯部と外膜の蓋内部の二層の蒸気対流ができる、ご飯部の水蒸気は外部への水蒸気放出を減らし、ご飯粒の表面水まくを保温、保湿する。炭の防臭及マイナスイオンでご飯が黄色変化や、不快な臭気と味等の劣化をなくし、美味しい炊きたてご飯を容易にするための炊飯器内釜の保湿容器を特徴とするものである。
【発明を実施するための最良の形態】  以下本発明を詳細に説明すると、【００１０】（目的物）
本発明の保湿容器は、従来の炊飯器内部の保温状態に加え湿度を常に発生させ維持し、炭の防臭及マイナスイオンでご飯が黄色変化や、不快な臭気と味等の劣化をなくし、美味しい炊きたてご飯を容易にするのを特徴とするものである。【００１１】（基材、その他材料）
保湿容器の網ザル形１としては、金属、竹、樹脂系等基板からなる網ザル形、多穴のパンチ型、あるいはこれらに類するものがあげられる。先に述べたように網ザル形の上棚に置き台２を設け、取付け取り外し自由な多穴の小物入れ４又は、一部に磁石をつけた袋物で、網ザル形と多穴の小物入れ間に水蒸気用に水で濡らした表面積の広い繊維形状の天然パルプ紙５、濾紙又は布を挟み、網ザル形に被せる。釜の温度ヒーター加熱により水は容易に蒸気発生させる。多穴の小物入れに防臭及びマイナスイオン発生用の材料に竹炭、木炭等をいれる。
多穴の小物入れは炭の落下を保護する半蓋が取付けてある。
網ザル形下棚には一取っ手三種類用３で、取っ手用にも、つり下げ用にも、つり下げ挟み用にもなり、この取っ手と保湿容器間に物を挟むことでつり下げ挟みとなる。
基材は金属などであっても持ち手の保護材料として加熱等のやけと防止に樹脂系等で防護する。【００１２】（作用）
上記のように構成された保湿容器は従来の炊飯器と同じ保温状態の内部を利用して保湿容器を内釜に入れて保温、保湿、加湿、及び防臭を行う。
炊飯釜内はこの加湿容器の網ザル形１と多穴の小物入れ４間に水で濡らした天然パルプ紙５を挟み、網ザル形に被せる。釜の温度ヒーター加熱により水が容易に蒸気発生し、内幕のご飯部と外幕の蓋槽内部の二層の蒸気対流ができる。
保温ヒーター熱でそれぞれ蒸気対流し、この網ザル形１に水滴膜を作る結果、蓋穴よりの外部へのご飯部の蒸気放出を減らし、又保温ヒーター熱で天然パルプ紙の蒸気用水が蒸発し、加湿の蒸気対流でまた網ザル形に水滴膜を作る、この繰り返しはご飯粒の表面水まくを保温、保湿、する、
炭の防臭及マイナスイオンでご飯が黄色変化や、不快な臭気と味等の劣化をなくし、美味しい炊きたてご飯にするものである。
又、網ザル形下棚には一取っ手三種類用３で、取っ手用にも、つり下げ用にも、つり下げ挟み用にもなり、この取っ手と保湿容器間に物を挟むことでつり下げ挟みとなる。即ち、ご飯を注ぐ時、炊飯器釜蓋を開け上部に引掛ける、保湿容器の水滴は炊飯器外に出ず、外部からの汚れ付着が無く、炊飯器釜内に水滴を処理する機能を特徴とする。
【実施例】
【００１３】  次に実施例をあげて本発明をさらに説明する。【００１４】  本発明の図１は，炊飯器用の保湿容器で形状と明細を示したものである。
炊飯器用の保湿容器はこの網ザル形１と水で濡らした天然パルプ紙５によて、内幕のご飯部と外幕の蓋槽内部と二層の蒸気対流ができる。  先に述べたように保温ヒーター熱でそれぞれの蒸気対流され、この網ザル形に水滴膜を作り、蓋穴よりの外部へのご飯部の蒸気放出を減らし、又保温ヒーター熱で上記の天然パルプ紙の蒸気用水が蒸発し、加湿の蒸気対流でまた網ザル形に水滴膜を作る、この繰り返しはご飯粒の表面水まくを保温、保湿、する。【００１５】  図１は，網ザル形上棚に置き台２を設け多穴の小物入れ４を置く、網ザル形とその多穴の小物入れ間に水蒸気用の濡らした表面積が広い繊維形状の天然パルプ紙５を挟み、網ザルに被せる。釜の温度ヒーター加熱により水が容易に蒸気発生さす。
その多穴の小物入れ内に防臭及びマイナスイオン発生用に竹炭、木炭、等を乗せる。網ザル形下棚には一取っ手三種類用３で、持ち手用にも、つり下げ用にも、つり下げ鋏み用にもなり、このつり下げ鋏み用はご飯を注ぐ時、炊飯器蓋を開け上部に引掛け、保湿容器をつり下げる。
本発明の炊飯器用の保湿容器は、従来の炊飯器内部の保温状態に加え湿度を常に発生させ維持し、炭の防臭及マイナスイオンでご飯が黄色変化や、不快な臭気と味等の劣化をなくし、容易に美味しい炊きたてご飯にするものである。【００１６】  図２は，本発明の炊飯器用の保湿容器各部品
を示したものである。
【産業上の利用可能性】
【００１７】  本発明の保湿容器は網ザル形のため炊飯器用の他、主食、副食の魚、肉、野菜を始め果物、ケーキ、植物などを直接触れてず形状の保存、何時までも湿度の確保、ほこり等の除去及び、防臭から守れる。冷蔵庫、テーブル、ワコン、苗栽培等にも使用できる。
【図面の簡単な説明】
【図１】  本発明の完成図、保湿容器である。
【図２】  保湿容器の部品で網ザル形１、上棚の置き台２、下棚の一取っ手三種類用で取っ手、つり下、つり下げ挟み３、多穴の小物入れ４、繊維形状の天然パルプ紙５の図を示したものである。
【符号の説明】
１．．．網ザル形
２．．．置き台
３．．．一取っ手三種類用で取っ手、つり下、つり下げ挟み
４．．．多穴の小物入れ
５．．．繊維形状の天然パルプ紙
【図１】
2005261892.tif 000003
【図２】
2005261892.tif 000004